(57)【要約】【課題】外出先にいる居住者が、認証端末器を操作して電気錠を施、解錠したときに、施、解錠操作の結果を、来訪者の映像とともに知ることができる電気錠施解錠制御システムを提供する。【解決手段】ドアホン子機を接続したインターホンに、来訪者の映像を撮影するカメラと、来訪者の認証情報を受け付ける認証端末器と電気錠とを接続した電気錠制御器と、通信ネットワーク上のセンタ装置とを接続して構成される電気錠施解錠制御システムにおいて、上記認証端末器によって受付られた認証情報が正当と判断されたときには、上記電気錠制御器は電気錠を施、解錠させ、このとき、その電気錠施、解錠制御信号が上記インターホンにも送出され、これを受けたインターホンは、上記カメラを駆動させて来訪者の映像の撮影をして、撮影した映像を上記通信ネットワークを通じて上記センタ装置に送出し、これを受けた上記センタ装置は、受信した映像を、所定のメッセージとともに、予め登録された通知先通信アドレスを指定して送信することを特徴とする。【選択図】図１
2005048453.tif 000002
【特許請求の範囲】
【請求項１】
ドアホン子機を接続したインターホンに、来訪者の映像を撮影するカメラと、来訪者の認証情報を受け付ける認証端末器と電気錠とを接続した電気錠制御器と、通信ネットワーク上のセンタ装置とを接続して構成される電気錠施解錠制御システムにおいて、
上記認証端末器によって受付られた認証情報が正当と判断されたときには、上記電気錠制御器は電気錠を施、解錠させ、このとき、その電気錠施、解錠制御信号が上記インターホンにも送出され、
これを受けたインターホンは、上記カメラを駆動させて来訪者の映像の撮影をして、撮影した映像を上記通信ネットワークを通じて上記センタ装置に送出し、
これを受けた上記センタ装置は、受信した映像を、所定のメッセージとともに、予め登録された通知先通信アドレスを指定して送信することを特徴とする電気錠施解錠制御システム。
【請求項２】
請求項１において、
上記認証端末器を通じて受付けた認証情報が正当と判断できなかったときには、上記電気錠制御器は、認証失敗通知信号を上記インターホンに送出し、
これを受けた上記インターホンは、上記カメラを駆動させて来訪者の映像の撮影をして、撮影した映像を上記通信ネットワークを通じて上記センタ装置に送出し、
これを受けた上記センタ装置は、受信した映像を、所定のメッセージとともに、予め登録された通知先通信アドレスを指定して送信することを特徴とする電気錠施解錠制御システム。
【発明の詳細な説明】
【技術分野】
【０００１】
本発明は、電気錠と電気錠制御器とを通信線を介して接続して構成された電気錠制御システムの改良に関する。
【背景技術】
【０００２】
従来より一般住宅などにおいては、下記特許文献１に示すような電気錠制御システムが使用されている。
このものは、電気錠と、電気錠制御器と、シークレット操作器とを組み合わせて構成されており、シークレット操作器から入力された暗証番号が予め登録されている暗証番号と一致して、操作者が認証されたときに、電気錠制御器は電気錠に解錠制御信号を送出して解錠させるようになっている。
【０００３】
【特許文献１】特開平５−２５９６１号公報
【発明の開示】
【発明が解決しようとする課題】
【０００４】
ところで、近時においては、バイオメトリクス情報（指紋など）を受け付け、予め登録されている認証情報との照合を確認することによって、解錠指示を行う人の正当性を判別したときに、電気錠の解錠制御を行うシステムも開発されてきており、さらにこのようなシステムでは、認証情報が照合されたときに、その結果を通信ネットワーク上のセンタ装置に送り、そこから、居住者の携帯電話などに転送するようにしているが、シークレット操作器によって解錠操作をしたときに、その事実を居住者が所持する携帯電話などに知らせるシステムは未だ開発されていない。
したがって、居住者は、バイオメトリクス操作端末器を操作しての認証情報の照合結果などを外出先で知ることはできても、シークレット操作器における操作については、その照合結果を外出先で知ることができず不便であった。
【０００５】
更に、バイオメトリクス情報の認証情報の照合確認時や、非接触キーを用いての照合確認時には、来訪者の映像を、その住戸の居住者などに通知するシステムも存在せず、そのため、住戸の居住者は、誰によって解錠指示がなされたかを知ることができなかった。
そこで、本発明はこのような問題を解決するために提案されたものであって、外出先にいる居住者が、バイオメトリクス操作端末器やシークレット操作器などの認証操作端末器を操作した時に、来訪者の映像とともに、解錠指示と、その結果とを知ることができる電気錠施解錠制御システムを提供することを目的とする。
【課題を解決するための手段】
【０００６】
上記目的を達成するために、請求項１のシステムでは、ドアホン子機を接続したインターホンに、来訪者の映像を撮影するカメラと、来訪者の認証情報を受け付ける認証端末器と電気錠とを接続した電気錠制御器と、通信ネットワーク上のセンタ装置とを接続して構成される電気錠施解錠制御システムにおいて、上記認証端末器によって受付られた認証情報が正当と判断されたときには、上記電気錠制御器は上記電気錠を施、解錠させ、このとき施解錠制御信号が上記インターホンに送出され、これを受けたインターホンは、上記カメラを駆動させて来訪者の映像の撮影をして、撮影した映像を上記通信ネットワークを通じて上記センタ装置に送出し、これを受けた上記センタ装置は、受信した映像を、所定のメッセージとともに、予め登録された通知先通信アドレスを指定して送信する構成にしている。ここに、所定のメッセージとは、正当な操作者として確認されて施、解錠されたことを通知するほか、その時刻などもいっしょに付加して通知される。
【０００７】
また、請求項２のシステムでは、請求項１において、上記認証端末器を通じて受付けた認証情報が正当と判断できなかったときには、電気錠制御器は、電気錠を施、解錠せずに認証失敗通知信号を上記インターホンに送出し、これを受けた上記インターホンは、上記カメラを駆動させて来訪者の映像の撮影をして、撮影した映像を上記通信ネットワークを通じて上記センタ装置に送出し、これを受けた上記センタ装置は、受信した映像を、所定のメッセージとともに、予め登録された通知先通信アドレスを指定して送信することを特徴としている。ここに、所定のメッセージとは、操作者の認証がとれなかったこと、施、解錠されなかったことを通知するほか、その時刻などもいっしょに付加して通知される。
【発明の効果】
【０００８】
本発明の請求項１では、シークレット操作器、非接触キーなどの認証端末器を操作し、入力された認証情報が照合され、その登録が確認できれば、来訪者の映像とともに、解錠されたことが、予め通知先の通信アドレスとして登録されている居住者の携帯電話などに転送されるため、セキュリティの確保が図れる。
【０００９】
また、請求項２のシステムでは、シークレット操作器、非接触キーなどの認証端末器を操作し、入力された認証情報が照合され、その登録が確認できなかった場合には、来訪者の映像とともに、解錠操作があったこと（認証されなかったために解錠されなかった）が、予め通知先の通信アドレスとして登録されている居住者の携帯電話などに転送される。
【発明を実施するための最良の形態】
【００１０】
【実施例１】
【００１１】
図１は、本発明の電気錠施解錠制御システムの概略構成を示す図である。
このシステムでは、電気錠制御器１と電気錠２とが信号線Ｌを介して接続されており、これらの間には、シークレット操作器３や、非接触リーダ４が、認証操作端末器として接続付加されている。
【００１２】
電気錠制御器１には、テレビインターホン７が接続されており、このインターホン７には、カメラ５、カメラ付きドアホン子機６、ホームゲートウエイ（不図示）を介して、インターネットなどの通信網Ｎに接続され、センタ装置８との間で必要な双方向通信がなされる構成になっている。
【００１３】
図２は、このシステムを構成する各機器の内部構成の一例を示す図である。
電気錠制御器１は、この制御器１を制御するＣＰＵ１０と、データ入出力部１１、１１と、操作部１２と、表示部１３とを備える。また、電気錠２は、この電気錠２を制御するＣＰＵ２０と、データ入出力部２１と、電磁ソレノイドなどで構成される電気錠制御部２２とを備える。
【００１４】
シークレット操作器３は、この操作器３を制御するＣＰＵ３０と、データ入出力部３１と、認証が出来ず、操作が不当と判断した場合などに鳴動するブザー３２と、表示部３３と、暗証番号を入力するための番号入力部３４とを備える。
非接触リーダ４は、非接触キー４‘と組み合わせて使用され、リーダ４は、このリーダ４を制御するＣＰＵ４０と、照合が不当な場合などに鳴動するブザー４１と、表示部４２と、データ入出力部４３と、入力された認証情報などが正当であるかを照合する非接触照合部４４とを備える。
【００１５】
このシステムでは、非接触リーダ４は、非接触照合部４４を備えているので、ここで認証情報の照合確認がなされているが、認証情報を電気錠制御器１側で登録させておいて、そこで、正当性を判別するようにしてもよく、これについてはシークレット操作器３も同様である。
【００１６】
一方のキー４‘は、ＣＰＵなどを有するＩＣ４５と、識別情報を電波信号で送出するアンテナ部４６とを備える。なお、非接触リーダ４とキー４’との組み合わせの代わりに、指紋や瞳、眼底などのバイオメトリクス情報を受け付ける操作端末器を用いてもよい。
【００１７】
インターホン６は、このインターホン６を制御するＣＰＵ６０と、インターネットに接続するため、ホームゲートウエイに接続されるインタフェース部６１と、スピーカ６２と、モニタなどを有する表示部６３と、操作部６４と、データ入出力部６５とを備える。
【００１８】
カメラ付きドアホン子器７は、このドアホン７を制御するＣＰＵ７０と、撮像素子７１と、データ入出力部７２と、操作部７３と、スピーカ７４と、表示部７５とを備える。
【００１９】
このような構成のシステムは、たとえば、図３，４の動作をなす。
すなわち、認証端末器３，４で受付けられた認証情報の登録が確認され、認証がとれれば（１００）、認証信号が送出される（１０１）この認証信号が電気錠制御器１へと送出されると、電気錠制御器１は施解錠指令信号を送出する（１０２）。
【００２０】
施解錠指令信号は電気錠２と、親機６とに送出され、電気錠２はこれを受けて解錠し、インターホン６ではこれを受けて、カメラ５やカメラ付きドアホン子器６を駆動させて来訪者の映像を撮影し、その映像を、施解錠を通知する情報とともにセンタ装置８に送出する（１０４、１０５）。センタ装置８では、インターホン６の識別情報を抽出して、あらかじめ対応して登録されている通知先の通信アドレス（居住者の携帯メールアドレスなど）を指定して、受けた映像と施解錠を通知する情報とを転送する。これにより、外出中の居住者が、シークレット操作器の操作時、非接触キーの操作時の双方において、認証がなされ、施解錠されたことが正当に確認でき、更に、来訪者の映像も確認することができる。
【００２１】
一方、認証端末器３，４による認証がとれなかったときには、図４に示す動作をなす。
【００２２】
すなわち、認証失敗信号を送出する（２００）。このときには電気錠２は当然に解錠されない。これを受けた電気錠制御器１は、この信号をインターホン６に転送する（２０１）。
【００２３】
すると、インターホン６は、カメラ５やカメラ付きドアホン子器６を駆動させて来訪者の映像を撮影し、その映像を、施解錠指示が不正だった旨の情報とともにセンタ装置８に送出する（２０２，２０３）。センタ装置８では、インターホン６の識別情報を抽出して、あらかじめ対応して登録されている通信アドレス（居住者の携帯メールアドレスなど）を指定して、受けた映像と施解錠が不正だった旨の情報とを転送する。これにより、外出中の居住者が、非接触キーとシークレット操作器の操作時の双方において、照合が不正におわった旨が確認でき、更に来訪者の映像を確認して、万全にセキュリティ性を図ることができる。
【産業上の利用可能性】
【００２４】
本発明システムは、集合住宅や一般住宅、オフィスビルなど、不法侵入者からセキュリティを確保する電気錠制御システムに対して適用できる。
【図面の簡単な説明】
【００２５】
【図１】本発明システムの概略基本構成を示す図である。
【図２】本発明システムの主要な内部構成の一例を示すブロック図である。
【図３】本発明システムの基本動作（認証ＯＫの場合）を説明する図である。
【図４】本発明システムの基本動作（認証ＮＧの場合）を説明する図である。
【符号の説明】
【００２６】
１・・・電気錠制御器
２・・・電気錠ユニット
３・・・シークレット操作器
４・・・非接触リーダ
【図１】
2005048453.tif 000003
【図２】
2005048453.tif 000004
【図３】
2005048453.tif 000005
【図４】
2005048453.tif 000006